(57)【要約】【課題】マトリックススイッチングタイプのタッチパネルを提供する。【解決手段】本発明に係るマトリックススイッチングタイプのタッチパネルは、基板上の可視領域にドットマトリックス形態で配置されるタッチパッドと、タッチパッドの間に配置されてタッチパッドとタッチ駆動回路とをそれぞれ連結する信号ラインを含むマトリックススイッチングタイプのタッチパネルにおいて、透明電極材質からなって基板上の可視領域内に配列される単位電極、各タッチパッドに対応する領域に設定されるタッチパッド領域、各信号ラインに対応する領域に設定される信号ライン領域及びタッチパッド領域と信号ライン領域とにそれぞれ配置される複数の単位電極を電気的に連結してタッチパッドと信号ラインとを構成する透明電極材質のブリッジを含み、単位電極は、信号ラインと並んだ第１軸に対してジグザグ形態に配列されて形成されてなることを特徴とする。【選択図】    図４
2015162245.tif 000002
【特許請求の範囲】
【請求項１】
基板上の可視領域にドットマトリックス形態で相互に離隔配置されるタッチパッドと、前記タッチパッドの間の離隔空間に配置されてタッチパッドと非可視領域のタッチ駆動回路とをそれぞれ連結する信号ラインを含むマトリックススイッチングタイプのタッチパネルにおいて、
透明電極材質からなって基板上の可視領域内に配列される単位電極と、
各タッチパッドに対応する領域に設定されるタッチパッド領域と、
各信号ラインに対応する領域に設定される信号ライン領域、および、
前記タッチパッド領域と信号ライン領域とにそれぞれ配置される複数の単位電極を電気的に連結して、タッチパッドと信号ラインとを構成する透明電極材質のブリッジを含み、
前記単位電極は、信号ラインと並んだ第１軸に対してジグザグ形態に配列されてなるマトリックススイッチングタイプのタッチパネル。
【請求項２】
前記単位電極は、第１軸に対して第１方向に傾斜配置される第１直線区間と、第１軸を基準に第１直線区間と対称となる第２方向に傾斜配置される第２直線区間が交互に繰り返されるように配列される請求項１に記載のマトリックススイッチングタイプのタッチパネル。
【請求項３】
前記第１方向と第２方向は、第１軸に対して両側に１０度〜２０度の範囲で設定される請求項２に記載のマトリックススイッチングタイプのタッチパネル。
【請求項４】
前記ブリッジは、単位電極と同一のレイヤー上に形成される請求項１に記載のマトリックススイッチングタイプのタッチパネル。
【請求項５】
前記単位電極は、少なくとも両側面に複数の突起が形成され、
前記複数の突起は、隣接する単位電極の突起と互いに食い違うように配置される請求項４に記載のマトリックススイッチングタイプのタッチパネル。
【請求項６】
前記信号ラインと交差する方向に単位電極を連結するブリッジは、隣接する一対の単位電極に設けられる複数の突起のうち、少なくともいずれか一つの突起から延長形成される請求項５に記載のマトリックススイッチングタイプのタッチパネル。
【請求項７】
前記ブリッジは、信号ラインと交差する方向に対して隣接するブリッジと互いに食い違うように配置される請求項６に記載のマトリックススイッチングタイプのタッチパネル。
【請求項８】
前記単位電極の端部は、信号ラインと交差する方向に対して隣接する単位電極の端部と互いに食い違うように配置される請求項１に記載のマトリックススイッチングタイプのタッチパネル。
【請求項９】
前記信号ラインは、タッチパネルとタッチ駆動回路との間の配線長さに応じて抵抗を減少させることができるように一列に連結された少なくとも２つ以上の単位信号ラインが電気的に連結される請求項１に記載のマトリックススイッチングタイプのタッチパネル。
【請求項１０】
前記２つ以上の単位信号ラインは、非可視領域内で信号ラインとタッチ駆動回路とをそれぞれ連結する連結ラインが互いに連結される請求項９に記載のマトリックススイッチングタイプのタッチパネル。
【請求項１１】
前記２つ以上の単位信号ラインは、可視領域内で複数のブリッジによって、電気的に連結される請求項９に記載のマトリックススイッチングタイプのタッチパネル。
【発明の詳細な説明】
【技術分野】
【０００１】
本発明は、マトリックススイッチングタイプのタッチパネルに関し、より詳しくは、透明電極が存在する領域と透明電極が存在しない領域の境界が視認されることを防止するとともに、タッチパネルの透明電極によってモアレ現象が発生することを防止することができるマトリックススイッチングタイプのタッチパネルに関するものである。
【背景技術】
【０００２】
一般に、マトリックススイッチングタイプのタッチパネルは、基板上の可視領域にドットマトリックス形態で相互に離隔配置されるタッチパッドと、前記タッチパッドの間の離隔空間に配置され、タッチパッドと非可視領域のタッチ駆動回路をそれぞれ連結する信号ラインを含んで構成される。
【０００３】
従来のマトリックススイッチングタイプのタッチパネルは、図１に示すように、透明電極がパターニングされ、タッチパッド２０及び信号ライン３０を形成することにより、基板１０の可視領域（Ａ１）上には、透明電極が存在する領域と透明電極が存在しない領域に区分される。
【０００４】
ところが、透明電極が存在する領域と透明電極が存在しない領域は、透過率の差異、反射率の差異、色相差などによって、パターニング跡、すなわち透明電極が存在する領域が視覚的に現れる問題がある。
【０００５】
最近、このようなタッチスクリーンパネルにおいて、透明電極が存在する領域と存在しない領域との間の視覚的差異を改善するために、透明電極と透明電極が存在しない基板部位を覆うコーティング層を備えるようにしている。
【０００６】
しかし、コーティング層を追加することは、費用及び工程増加の原因となるだけでなく、コーティング層を追加してもマトリックススイッチングタイプのタッチパネルは、複数の信号ライン３０が基板１０の可視領域（Ａ１）内で並んだ直線形態に配置されているため、簡単に視認される問題がある。
【０００７】
また、タッチパッド２０とタッチ駆動回路４０とをそれぞれ連結する信号ライン３０は、タッチ駆動回路４０とタッチパッド２０との距離が遠い場合、すなわち信号ライン３０の配線の長さが長くなるほど抵抗と寄生容量が増加する。したがって、信号ライン３０は、図２に示すように、配線の長さが長くなるほど幅が増加する形態でデザインされる。しかし、このような場合には、一部領域で信号ライン３０の境界が異なる領域に比べて稠密に配置され、簡単に視認される構造的な問題点がある。
【０００８】
また、タッチパッドの信号電極のラインと液晶パネルの画素電極のラインとの方向が一致する場合、図３に示すように、平行した２つの一定の間隔を有するパターンが重なることにより、光学的欠陥が発生する。すなわち、所定の間隔（Ｄ）を有する線模様が表示されるモアレ（ｍｏｉｒｅ）現象により、画面品位が低下する問題点がある。
【発明の概要】
【発明が解決しようとする課題】
【０００９】
したがって、本発明の目的は、このような従来の問題点を解決するためのものであって、透明電極が存在する領域と透明電極が存在しない領域との境界が視認されることを防止するとともに、タッチパネルの透明電極によってモアレ現象が発生することを防止することができるマトリックススイッチングタイプのタッチパネルを提供することにある。
また、単位電極間の上下、左右方向の境界が視認されることを防止することができるマトリックススイッチングタイプのタッチパネルを提供することにある。
【課題を解決するための手段】
【００１０】
前記目的は、本発明に係るマトリックススイッチングタイプのタッチパネルによって達成される。
本発明の一実施形態に係るマトリックススイッチングタイプのタッチパネルは、基板上の可視領域にドットマトリックス形態で相互に離隔配置されるタッチパッドと、前記タッチパッドの間の離隔空間に配置されてタッチパッドと非可視領域のタッチ駆動回路とをそれぞれ連結する信号ラインを含むマトリックススイッチングタイプのタッチパネルにおいて、透明電極材質からなって基板上の可視領域内に配列される単位電極と、各タッチパッドに対応する領域に設定されるタッチパッド領域と、各信号ラインに対応する領域に設定される信号ライン領域、および前記タッチパッド領域と信号ライン領域とにそれぞれ配置される複数の単位電極を電気的に連結して、タッチパッドと信号ラインとを構成する透明電極材質のブリッジを含み、前記単位電極は、信号ラインと並んだ第１軸に対してジグザグ形態に配列されてなる。
【００１１】
ここで、前記単位電極は、第１軸に対して第１方向に傾斜配置される第１直線区間と、第１軸を基準に第１直線区間と対称となる第２方向に傾斜配置される第２直線区間が交互に繰り返されるように配列されることが好ましい。
また、前記第１方向と第２方向は、第１軸に対して両側に１０度〜２０度の範囲で設定されることが好ましい。
【００１２】
また、前記ブリッジは、単位電極と同一のレイヤー上に形成されることを特徴とすることが好ましい。
【００１３】
また、前記単位電極は、少なくとも両側面に複数の突起が形成され、前記複数の突起は、隣接する単位電極の突起と互いに食い違うように配置されることを特徴とすることが好ましい。
【００１４】
また、前記信号ラインと交差する方向に単位電極を連結するブリッジは、隣接する一対の単位電極に設けられる複数の突起のうち、少なくともいずれか一つの突起から延長形成されることが好ましい。
【００１５】
また、前記ブリッジは、信号ラインと交差する方向に対して隣接するブリッジと互いに食い違うように配置されることが好ましい。
【００１６】
また、前記単位電極の端部は、信号ラインと交差する方向に対して隣接する単位電極の端部と互いに食い違うように配置されることが好ましい。
【００１７】
また、前記信号ラインは、タッチパネルとタッチ駆動回路との間の配線長さに応じて抵抗を減少させることができるように一列に連結された少なくとも２つ以上の単位信号ラインが電気的に連結されることが好ましい。
【００１８】
また、前記２つ以上の単位信号ラインは、非可視領域内で信号ラインとタッチ駆動回路とをそれぞれ連結する連結ラインが互いに連結されることが好ましい。
【００１９】
また、前記２つ以上の単位信号ラインは、可視領域内で複数のブリッジによって、電気的に連結されることが好ましい。
【発明の効果】
【００２０】
本発明によれば、透明電極が存在する領域と透明電極が存在しない領域との境界が視認されることを防止するとともに、タッチパネルの透明電極によってモアレ現象が発生することを防止することができるマトリックススイッチングタイプのタッチパネルが提供される。
また、単位電極間の上下、左右方向の境界が視認されることを防止することができるマトリックススイッチングタイプのタッチパネルが提供される。
【図面の簡単な説明】
【００２１】
【図１】図１は、従来のマトリックススイッチングタイプのタッチパネルの平面構成図である。
【図２】図２は、図１の「Ａ」部分の拡大図である。
【図３】図３は、モアレ現象を示す図である。
【図４】図４は、本発明の一実施形態に係るマトリックススイッチングタイプのタッチパネルの平面構成図である。
【図５】図５は、図４の主要部分の拡大図である。
【図６】図６は、本発明の一実施形態に係るマトリックススイッチングタイプのタッチパネルの形成過程を示す図である。
【図７】図７は、本発明の一実施形態に係るマトリックススイッチングタイプのタッチパネルの形成過程を示す図である。
【図８】図８は、本発明の一実施形態に係るマトリックススイッチングタイプのタッチパネルの形成過程を示す図である。
【図９】図９は、本発明の他の実施形態に係るマトリックススイッチングタイプのタッチパネルの信号ラインの部分拡大図である。
【図１０】図１０は、本発明のマトリックススイッチングタイプのタッチパネルに係る単位電極の変形例である。
【発明を実施するための形態】
【００２２】
説明に先立ち、様々な実施形態において、同一の構成を有する構成要素については、同一の符号を使用して代表的に第１実施形態で説明し、その他の実施形態においては、第１実施形態と異なる構成について説明することにする。
以下、添付した図面を参照して本発明の第１実施形態に係るマトリックススイッチングタイプのタッチパネルについて詳細に説明する。
添付図面のうち、図４は、本発明の第１実施形態に係るマトリックススイッチングタイプのタッチパネルの平面構成図であり、図５は、図４の主要部分の拡大図である。
【００２３】
前記図面に示すような本発明は、基板１００上の可視領域（Ａ１）にドットマトリックス形態で相互に離隔配置されるタッチパッド１２０と、前記タッチパッド１２０の間の離隔空間に配置されてタッチパッド１２０と非可視領域（Ａ２）のタッチ駆動回路１５０とをそれぞれ連結する信号ライン１３０を含むマトリックススイッチングタイプのタッチパネルに関するものである。
【００２４】
このような本発明の第１実施形態に係るマトリックススイッチングタイプのタッチパネルは、透明電極材質からなって基板上の可視領域（Ａ１）内に配列される単位電極１１０と、可視領域（Ａ１）のうち、タッチパッド１２０に対応する領域にそれぞれ設定されるタッチパッド領域（ＴＡ）と、信号ライン１３０に対応する領域にそれぞれ設定される信号ライン領域（ＳＡ）及び、前記タッチパッド領域（ＴＡ）と信号ライン領域（ＳＡ）にそれぞれ配置される複数の単位電極１１０を電気的に連結して、タッチパッド１２０と信号ライン１３０とを構成する透明電極材質のブリッジ１４０を含んで構成される。
【００２５】
前記単位電極１１０は、長方形の透明電極材質からなって、信号ラインと並んだ第１軸（図５でＹ軸で表示）に対してジグザグ形態に配列される。
【００２６】
すなわち、前記単位電極１１０は、第１軸（Ｙ）に対して第１方向に傾斜配置される第１直線区間と、第１軸（Ｙ）を基準に第１直線区間と対称となる第２方向に傾斜配置される第２直線区間が交互に繰り返されるように配列され、前記第１方向と第２方向は、第１軸（Ｙ）に対して両側に１０度〜２０度の範囲で設定される。ここで、傾斜角度が０〜９度で設定される場合には、モアレ模様の間隔が人の目で確認することができる１５０μm以上になってモアレ模様が視認される。また、２０度を超過する場合には、ジグザグ形態に配列される単位電極１１０と可視領域（Ａ１）の縁との間にタッチ不可能の領域が大きくなるようになる。ここで。タッチ不可能の領域とは、単位電極がタッチパッド領域（ＴＡ）及び信号ライン領域（ＳＡ）に含まれることができず、タッチをしてもタッチとして認識できない領域を意味する。
【００２７】
単位電極１１０の両側面には、複数の突起１１２が離隔配置される。また、連結ライン１３２と直交する第２軸（図５でＸ軸で表示）方向に隣接する一対の単位電極１１０の互いに向かい合う面に形成された突起１１２は、向い側の突起１１２と互いに食い違うように配置され、長方形の単位電極１１０の外側面のうち、短辺からなる端部は、信号ライン１３０と交差する第２軸（Ｘ）方向に対して隣接する単位電極１１０の端部と互いに食い違うように配置される。
【００２８】
前記ブリッジ１４０は、単位電極１１０と同一の透明電極材質からなり、単位電極１１０の形成過程でともに形成されて、単位電極１１０と同一のレイヤー上に配置される。このようなブリッジ１４０は、隣接する一対の単位電極１１０に設けられる複数の突起１１２のうち、少なくともいずれか一つの突起１１２から延長され、第２軸（Ｘ）方向に隣接する単位電極１１０と電気的に連結される。また、前記ブリッジ１４０は、第２軸（Ｘ）方向に対して隣接するブリッジ１４０と互いに食い違うように配置されている。
【００２９】
前記のように構成される本発明のマトリックススイッチングタイプのタッチパネルの第１実施形態によれば、単位電極１１０は、第１軸（Ｙ）に対して傾斜配置され、タッチパネルと積層構成される拡散フィルムまたはＴＦＴアレイパネルのパターンと所定角度食い違うようになるため、モアレ現象を防止することができる。
【００３０】
また、単位電極１１０は、第１方向に傾斜配置される第１直線区間と、第１軸（Ｙ）を基準に第１直線区間と対称となる第２方向に傾斜配置される第２直線区間が交互に繰り返され、第１軸（Ｙ）に沿ってジグザグ形態に配列されるため、可視領域（Ａ１）の縁に発生し得るタッチ不可能領域を最小化することができる。
【００３１】
また、基板の可視領域（Ａ１）に同一の形状を有する単位電極１１０を縦横方向に配列し、単位電極１１０の短辺が隣接する単位電極１１０の短辺と信号ライン１３０と交差する第２軸（Ｘ）方向に対して互いに食い違うようにする。
このような配置構造によれば、単位電極１１０が存在する領域と単位電極１１０が存在しない領域との間の透過率の差異、反射率の差異、色相差などによって、パターニング跡、すなわち前記透明電極が存在する領域が存在しない領域と視覚的に区分されることを防止することができる。
【００３２】
また、このような長方形の単位電極１１０は、信号ライン１３０と並んだ第１軸（Ｙ）方向に対して単位電極１１０の長辺に対応する側面部に複数の突起１１２が形成されているので、単位電極１１０の側面部境界ラインが視認されることを防止することができる。
また、単位電極１１０の間の左、右側離隔空間は、離隔空間を介して第２軸（Ｘ）方向に隣接する両側の単位電極１１０の突起１１２が互いに食い違うように配置されているので、左、右に配置される単位電極１１０の間の離隔空間が視認されることを防止することができる。
【００３３】
さらに、第１軸（Ｙ）方向に離隔される単位電極１１０の間の上、下側端部は、第２軸（Ｘ）方向に隣接する単位電極１１０の端部と互いに食い違うように配置されているので、上、下に配置される単位電極１１０の間の離隔空間が視認されることを防止することができる。
【００３４】
すなわち、前記のような単位電極１１０の配置構造によれば、単位電極１１０が形成された部分と形成されていない部分が視覚的に区分されることが防止され、単位電極１１０の間の離隔空間が第２軸（Ｘ）、第１軸（Ｙ）方向に直線に配置されることが防止されるため、可視領域（Ａ１）内で単位電極１１０はもちろん、単位電極１１０の間の離隔空間が視認されることを防止することができる。
【００３５】
一方、前記のような本発明の第１実施形態に係る単位電極１１０の配置構造からタッチパッド１２０と信号ライン１３０を形成する過程を図面を参照してみると、以下の通りである。
添付図面のうち、図６〜図８は、本発明のマトリックススイッチングタイプのタッチパネルの形成過程を示す図である。
【００３６】
本実施形態に係るマトリックススイッチングタイプのタッチパネルは、図１に示すように、タッチパッド１２０がドットマトリックス形態で相互に離隔配置され、各タッチパッド１２０と非可視領域（Ａ２）に配置されているタッチ駆動回路１５０を連結する複数の信号ライン１３０がタッチパッド１２０の間の離隔空間内に配置されている。
【００３７】
すなわち、図６に示すように、可視領域（Ａ１）内に複数の単位電極１１０は、第１軸（Ｙ）に対して第１方向に傾斜配置される第１直線区間と、第１軸（Ｙ）を基準に第１直線区間と対称となる第２方向に傾斜配置される第２直線区間が交互に繰り返され、第１軸（Ｙ）に沿ってジグザグ形態に配列される。
【００３８】
また、前記のような単位電極１１０を基盤にして、タッチパッド１２０と信号ライン１３０とを形成するために、図７に示すように、マトリックススイッチングタイプのタッチパネルの各タッチパッド１２０に対応する領域をタッチパッド領域（ＴＡ）と設定し、各信号ライン１３０に対応する領域を信号ライン領域（ＳＡ）と設定する。
【００３９】
具体的に、タッチパッド領域（ＴＡ）は、タッチパッドに対応する複数の単位電極１１０を含む縁で設定される。このとき、複数の単位電極１１０の端部は、第２軸（Ｘ）方向に隣接する単位電極の端部と互いに食い違うように配置されているので、第１軸（Ｙ）方向に配列された上、下側のタッチパッド領域（ＴＡ）の間の境界は不規則なライン形態で設定される。
【００４０】
また、信号ライン領域（ＳＡ）は、各タッチパッド領域（ＴＡ）と非可視領域（Ａ２）に配置されるタッチ駆動回路１５０とを連結するように左右のタッチパッド領域（ＴＡ）の間の離隔空間内に互いに第１軸（Ｙ）方向に配置されるものであって、それぞれのタッチパッド領域（ＴＡ）の位置に対応して互いに異なる長さで形成され、上端部は、該当タッチパッド領域（ＴＡ）と接するように設定される。
【００４１】
上記のように、タッチパッド領域（ＴＡ）と信号ライン領域（ＳＡ）が設定された後には、透明電極材質からなるブリッジ１４０を単位電極１１０の間に配置して、タッチパッド領域（ＴＡ）と信号ライン領域（ＳＡ）内に配置される単位電極１１０を互いに電気的に連結する。
【００４２】
すなわち、図８及び図５に示すように、第２軸（Ｘ）方向に配列された単位電極１１０を連結するにおいては、単位電極１１０の長辺に形成された突起１１２と第２軸（Ｘ）方向に隣接する単位電極１１０との間に透明電極材質のブリッジ１４０を配置して、左右の単位電極１１０を電気的に連結する。
【００４３】
この際、第２軸（Ｘ）方向に配列される複数のブリッジ１４０は、隣接するブリッジ１４０と互いに食い違うように配置することにより、一列に配置されるブリッジ１４０によって、視認性が増加することを防止する。
【００４４】
また、第１軸（Ｙ）方向に沿ってジグザグ形態に配列された複数の単位電極１１０を連結するにおいては、単位電極１１０の短辺と隣接する単位電極１１０の短辺との間に透明電極材質のブリッジ１４０を配置して、上下の単位電極１１０を電気的に連結する。
上記のように、タッチパッド領域（ＴＡ）と信号ライン領域（ＳＡ）内に配置される単位電極１１０をそれぞれブリッジ１４０で連結して、タッチパッド１２０と信号ライン１３０とを構成する。
【００４５】
また、タッチパッド１２０とこれに対応する信号ライン１３０の上端部をそれぞれブリッジ１４０で連結し、ブリッジ１４０と同一の材質からなって、非可視領域（Ａ２）に配置される連結ライン１３２で信号ライン１３０の下端部をタッチ駆動回路１５０と連結する。
【００４６】
一方、本実施形態においては、発明の理解を容易にするために単位電極１１０と区分されるブリッジ１４０を用いて、複数の単位電極１１０を電気的に連結し、連結ライン１３２を用いて、信号ライン１３０とタッチ駆動回路１５０とを電気的に連結するものとして説明したが、ブリッジ１４０と連結ライン１３２は、単位電極１１０をパターニングする過程で単位電極１１０とともに一体で形成することが好ましい。
【００４７】
また、本実施形態においては、タッチパッド１２０と信号ライン１３０とを同一のレイヤーに配置し、タッチパッド１２０と信号ライン１３０とをブリッジ１４０で連結し、シングルレイヤータイプのタッチパネルを構成するものとして例を挙げて説明したが、タッチパッド１２０と信号ライン１３０を上部レイヤーと下部レイヤーに配置した後、ブリッジ１４０で連結してダブルレイヤータイプのタッチパネルで構成することも可能である。
添付図面のうち、図９は、本発明の第２実施形態に係るマトリックススイッチングタイプのタッチパネルの信号ライン１３０の部分拡大図である。
【００４８】
本発明の第２実施形態と第１実施形態は、信号ライン１３０’を除いた残りの領域の構成が同一であるため、残りの領域についての詳細な説明は、第１実施形態についての説明で代えることとし、以下では、第１実施形態と区分される第２実施形態の信号ライン１３０’について詳細に説明することにする。
【００４９】
本発明の第２実施形態に係るマトリックススイッチングタイプのタッチパネルの信号ライン１３０’は、タッチパッド１２０とタッチ駆動回路１５０との間の距離に応じて抵抗を減少させることができるように、第２軸（Ｘ）方向に配置された複数の単位信号ライン１３１のうち、２つ以上の単位信号ライン１３１を電気的に連結して構成されることができる。
【００５０】
ここで、単位信号ライン１３１は、第１軸（Ｙ）方向に配置される複数の単位電極１１０がブリッジ１４０によって連結して、一つのライン形態に形成されたことを意味する。
より詳細に説明すると、図４に示した第１実施形態においては、タッチパッド１２０とタッチ駆動回路１５０との間の距離に関係なく、すべての信号ライン１３０は、一つの単位信号ライン１３１を含んでなり、一つの単位信号ライン１３１と連結された一つの連結ライン１３２を介して、タッチ駆動回路１５０と電気的に接続されている。
【００５１】
これに対し、図９に示された第２実施形態においては、タッチ駆動回路１５０と近い１番目、２番目および３番目のタッチパッド１２０は、第１実施形態と同様に１つの単位信号ライン１３１と１つの連結ライン１３２を介して、タッチ駆動回路１５０に連結されているが、タッチ駆動回路との距離がより遠い４番目のタッチパッドは、２つの単位信号ライン１３１と２つの連結ライン１３２を介して、タッチ駆動回路と接続され、５番目のタッチパッドは、３つの単位信号ライン１３１と３つの連結ライン１３２を介して、タッチ駆動回路と接続されている。
【００５２】
すなわち、図９に示すように、一列に配置された複数の単位信号ライン１３１は、非可視領域（Ａ２）内で単位信号ライン１３１とタッチ駆動回路１５０とをそれぞれ連結する連結ライン１３２が互い電気的に連結して、信号ライン１３０’の面積を増加させることにより、信号ライン１３０’の配線の長さが長くなっても抵抗及び寄生容量が増加することを防止することができる。
【００５３】
特に、前記のような信号ライン１３０’は、複数の単位信号ライン１３１を非可視領域（Ａ２）で電気的に連結するものであるから、信号ライン１３０’の面積を増加させても単位信号ライン１３１の幅の増加や間隔の変化が現れないので、信号ライン１３０’が視覚的に現れることを防止することができる。
【００５４】
一方、本実施形態においては、２つ以上の単位信号ライン１３１が非可視領域（Ａ２）で電気的に連結するものとして説明したが、２つ以上の単位信号ライン１３１が可視領域（Ａ１）内で複数のブリッジ１４０によって、電気的に連結するように構成することも可能である。この際、前記２つ以上の単位信号ライン１３１を連結する複数のブリッジ１４０は、先立って説明したように、隣接するブリッジ１４０と第２軸（Ｘ）方向に対して互いに食い違うように配置することが好ましいものである。
【００５５】
添付図面のうち、図１０は、本発明マトリックススイッチングタイプのタッチパネルに係る単位電極１１０の変形例を示したものである。
本発明に係る単位電極１１０の変形例によれば、単位電極１１０の両側に形成される突起１１２を図１０の（ａ）に示すように三角形に構成することも可能であり、または図１０の（ｂ）に示すように半円形に構成することも可能である。
もちろん、このような三角形または半円形の突起１１２も第１実施形態と同様に、隣接する単位電極１１０の突起１１２と信号ライン１３０と交差する方向に対して互いに食い違うように配置しなければならないものである。
【００５６】
本発明の権利範囲は、前述した実施形態に限定されるものではなく、添付の特許請求の範囲内で様々な形態の実施形態で具現することができる。特許請求の範囲で請求する本発明の要旨を逸脱することなく、当該発明の属する技術分野における通常の知識を有する者であれば誰でも変形可能な多様な範囲まで本発明の請求範囲の記載の範囲内にあるものとみなす。
【符号の説明】
【００５７】
１１０:単位電極
１１２:突起
１２０:タッチパッド
１３０:信号ライン
１３１:単位信号ライン
１３２:連結ライン
１４０:ブリッジ
１５０:タッチ駆動回路
ＴＡ:タッチパッド領域        
ＳＡ:信号ライン領域
Ａ１:可視領域
Ａ２:非可視領域
【図１】
2015162245.tif 000003
【図２】
2015162245.tif 000004
【図３】
2015162245.tif 000005
【図４】
2015162245.tif 000006
【図５】
2015162245.tif 000007
【図６】
2015162245.tif 000008
【図７】
2015162245.tif 000009
【図８】
2015162245.tif 000010
【図９】
2015162245.tif 000011
【図１０】
2015162245.tif 000012